(57)【要約】【課題】消費電力を抑制しつつ保守作業の安全性を高めることができる電源装置、ＬＥＤ装置及び光源装置を提供する。【解決手段】入力電圧判定回路３０は、電圧変換部１２の出力側に設けられたダイオード３１と、ダイオード３１のカソードに接続された抵抗３３とコンデンサ３２との並列回路とを備え、コンデンサ３２の電圧の有無に応じて入力電圧の有無を判定する。スイッチ回路４０は、放電用抵抗としての抵抗２０と直列に接続された第１のトランジスタ４１と、入力電圧判定回路３０での判定に応じて、第１のトランジスタ４１の導通および非導通を制御するための第２のトランジスタ４２と、第１のトランジスタ４１にバイアス電圧を印加するための抵抗４３とツェナーダイオード４４との直列回路とを備える。【選択図】図１
2011204854.tif 000002
【特許請求の範囲】
【請求項１】
入力電圧を出力電圧に変換する電圧変換部を備える電源装置において、
前記電圧変換部の出力側に並列に設けられたコンデンサと、
該コンデンサの電圧が所定値より低くなった場合、該コンデンサの電荷を放電する放電回路と
を備えることを特徴とする電源装置。
【請求項２】
入力電圧の有無を判定する入力電圧判定回路を備え、
該入力電圧判定回路で入力電圧がないと判定した場合、前記放電回路は前記コンデンサの電荷を放電するように構成してあることを特徴とする請求項１に記載の電源装置。
【請求項３】
前記放電回路は、
前記コンデンサに並列に接続される放電用抵抗を備え、
さらに前記放電用抵抗と直列に接続されたスイッチ回路を備え、
該スイッチ回路は、
前記入力電圧判定回路で入力電圧がないと判定した場合、前記放電用抵抗をコンデンサに並列に接続するように構成してあることを特徴とする請求項２に記載の電源装置。
【請求項４】
前記スイッチ回路は、
前記放電用抵抗と直列に接続された第１のトランジスタと、
前記入力電圧判定回路での判定に応じて、前記第１のトランジスタの導通および非導通を制御するための第２のトランジスタと、
前記第１のトランジスタにバイアス電圧を印加するための抵抗とツェナーダイオードとの直列回路と
を備えることを特徴とする請求項３に記載の電源装置。
【請求項５】
前記スイッチ回路は、
前記放電用抵抗と直列に接続された第１のトランジスタと、
前記入力電圧判定回路での判定に応じて、前記第１のトランジスタの導通および非導通を制御するための第２のトランジスタと、
前記第１のトランジスタにバイアス電圧を印加するための直列に接続した複数の抵抗と
を備えることを特徴とする請求項３に記載の電源装置。
【請求項６】
前記入力電圧判定回路は、
前記電圧変換部の出力側に設けられたダイオードと、
該ダイオードのカソードに接続された抵抗とコンデンサとの並列回路と
を備え、
前記コンデンサの電圧の有無に応じて入力電圧の有無を判定するように構成してあることを特徴とする請求項２乃至請求項５のいずれか１項に記載の電源装置。
【請求項７】
前記入力電圧判定回路は、
前記電圧変換部の出力側に直列に設けられた抵抗を備え、
該抵抗に流れる電流の有無に応じて入力電圧の有無を判定するように構成してあることを特徴とする請求項２乃至請求項５のいずれか１項に記載の電源装置。
【請求項８】
請求項１乃至請求項７のいずれか１項に記載の電源装置と、該電源装置により電圧が供給される直列ＬＥＤ群とを備えることを特徴とするＬＥＤ装置。
【請求項９】
請求項１乃至請求項７のいずれか１項に記載の電源装置と、該電源装置により電圧が供給される直列に接続された複数のＬＥＤとを備えることを特徴とする光源装置。
【発明の詳細な説明】
【技術分野】
【０００１】
本発明は、ＬＥＤに電圧を供給する電源装置並びに該電源装置を備えるＬＥＤ装置及び光源装置に関する。
【背景技術】
【０００２】
従来、光源として用いられてきた蛍光灯やその他の放電灯に比べて、省電力又は長寿命であるという理由で、ＬＥＤが光源として注目を浴びており、数十ｍＡから数百ｍＡ程度の比較的大きな電流を流すことができるＬＥＤが、住宅用照明機器のみならず、工場や事業所用の照明機器、道路用照明機器、産業用照明機器、表示装置などの光源装置に使用されるようになった。
【０００３】
このような光源装置に使用され、ＬＥＤに電圧を供給する電源装置は、装置の効率を向上させるため定電流方式の電源が多く用いられている。また、電源の効率向上またはコスト低減のため、ＬＥＤを直列に複数個接続した構成が主流となっている。
【０００４】
例えば、交流電圧を全波整流し、全波整流した直流電圧を高周波インバータ回路に供給して、高周波インバータ回路の出力側に複数のＬＥＤを直列に接続した光源に所望の電圧及び電流を供給する電源装置（発光装置）が開示されている（特許文献１参照）。
【先行技術文献】
【特許文献】
【０００５】
【特許文献１】特開平１０−３２１９１４号公報
【発明の概要】
【発明が解決しようとする課題】
【０００６】
特許文献１に開示するような従来の電源装置では、負荷であるＬＥＤに安定した電圧及び電流を供給すべく、高周波インバータ回路の出力側にリップル除去のための平滑コンデンサを設ける場合も多い。また、多数のＬＥＤを効率良く点灯させるために、多数のＬＥＤを直列に接続する構成を採用した場合、ＬＥＤの数に応じて電源装置の出力電圧を高くする必要がある。
【０００７】
しかし、従来の電源装置にあっては、電源装置あるいは電源装置を用いた光源装置（例えば、照明装置又は表示装置など）の保守の際に、入力電源（入力電圧）を遮断しても、負荷がＬＥＤであるため、電源装置の出力側に設けられた平滑コンデンサの電圧がＬＥＤの順方向電圧を下回った場合、平滑コンデンサに蓄えられた電荷がほとんど消費されなくなる。このため、平滑コンデンサの電圧が長時間維持されることになり、保守作業者が誤って触れた場合、感電するおそれがあった。特に多数のＬＥＤを直列に接続した構成の負荷の場合、平滑コンデンサで維持される電圧も高くなる。また、平滑コンデンサに並列に抵抗を接続する構成も採用し得るが、入力電圧が印加された場合、常時抵抗に電流が流れることになり消費電力を抑制する観点から好ましくない。
【０００８】
本発明は斯かる事情に鑑みてなされたものであり、消費電力を抑制しつつ保守作業の安全性を高めることができる電源装置並びに該電源装置を備えるＬＥＤ装置及び光源装置を提供することを目的とする。
【課題を解決するための手段】
【０００９】
第１発明に係る電源装置は、入力電圧を出力電圧に変換する電圧変換部を備える電源装置において、前記電圧変換部の出力側に並列に設けられたコンデンサと、該コンデンサの電圧が所定値より低くなった場合、該コンデンサの電荷を放電する放電回路とを備えることを特徴とする。
【００１０】
第２発明に係る電源装置は、第１発明において、入力電圧の有無を判定する入力電圧判定回路を備え、該入力電圧判定回路で入力電圧がないと判定した場合、前記放電回路は前記コンデンサの電荷を放電するように構成してあることを特徴とする。
【００１１】
第３発明に係る電源装置は、第２発明において、前記放電回路は、前記コンデンサに並列に接続される放電用抵抗を備え、さらに前記放電用抵抗と直列に接続されたスイッチ回路を備え、該スイッチ回路は、前記入力電圧判定回路で入力電圧がないと判定した場合、前記放電用抵抗をコンデンサに並列に接続するように構成してあることを特徴とする。
【００１２】
第４発明に係る電源装置は、第３発明において、前記スイッチ回路は、前記放電用抵抗と直列に接続された第１のトランジスタと、前記入力電圧判定回路での判定に応じて、前記第１のトランジスタの導通および非導通を制御するための第２のトランジスタと、前記第１のトランジスタにバイアス電圧を印加するための抵抗とツェナーダイオードとの直列回路とを備えることを特徴とする。
【００１３】
第５発明に係る電源装置は、第３発明において、前記スイッチ回路は、前記放電用抵抗と直列に接続された第１のトランジスタと、前記入力電圧判定回路での判定に応じて、前記第１のトランジスタの導通および非導通を制御するための第２のトランジスタと、前記第１のトランジスタにバイアス電圧を印加するための直列に接続した複数の抵抗とを備えることを特徴とする。
【００１４】
第６発明に係る電源装置は、第２発明乃至第５発明のいずれか１つにおいて、前記入力電圧判定回路は、前記電圧変換部の出力側に設けられたダイオードと、該ダイオードのカソードに接続された抵抗とコンデンサとの並列回路とを備え、前記コンデンサの電圧の有無に応じて入力電圧の有無を判定するように構成してあることを特徴とする。
【００１５】
第７発明に係る電源装置は、第２発明乃至第５発明のいずれか１つにおいて、前記入力電圧判定回路は、前記電圧変換部の出力側に直列に設けられた抵抗を備え、該抵抗に流れる電流の有無に応じて入力電圧の有無を判定するように構成してあることを特徴とする。
【００１６】
第８発明に係るＬＥＤ装置は、第１発明乃至第７発明のいずれか１つに係る電源装置と、該電源装置により電圧が供給される直列ＬＥＤ群とを備えることを特徴とする。
【００１７】
第９発明に係る光源装置は、第１発明乃至第７発明のいずれか１つに係る電源装置と、該電源装置により電圧が供給される直列に接続された複数のＬＥＤとを備えることを特徴とする。
【００１８】
第１発明にあっては、電圧変換部の出力側に並列に設けられたコンデンサと、コンデンサの電圧が所定値より低くなった場合、コンデンサの電荷を放電する放電回路とを備える。負荷としては、例えば、直列に接続された複数のＬＥＤ（直列ＬＥＤ群）とすることができる。この場合、コンデンサは、複数のＬＥＤと並列に接続される。例えば、入力電圧が印加され、直列に接続された複数のＬＥＤに電圧変換部の出力電圧が供給されている場合には、コンデンサの電圧は所定値（例えば、ＬＥＤそれぞれの順方向電圧の合計値）より低くなることはなく、放電回路は作動しない。また、例えば、入力電圧が遮断され、コンデンサの電圧が所定値（例えば、複数のＬＥＤそれぞれの順方向電圧の合計値）より低くなった場合には、放電回路が作動してコンデンサの電荷を放電する。これにより、入力電圧が印加されている場合には、無駄な消費電力が発生することを抑制し、入力電圧が遮断された場合には、コンデンサの電荷を放電して下げることにより、保守作業者が誤って触れた場合でも感電することを防止し、保守作業の安全性を高めることができる。
【００１９】
第２発明にあっては、入力電圧の有無を判定する入力電圧判定回路を備え、入力電圧判定回路で入力電圧がないと判定した場合、放電回路はコンデンサの電荷を放電する。入力電圧が遮断されることにより、電圧変換部で変換された出力電圧が低下し、コンデンサの電圧も低下する。コンデンサの電圧が複数のＬＥＤそれぞれの順方向電圧の合計値より低くなった場合、各ＬＥＤには電流が流れなくなるため、コンデンサに蓄えられた電荷が維持される。放電回路でコンデンサの電荷を放電することにより、コンデンサの電圧を安全な値以下に下げることができ、保守作業の安全性を高めることができる。
【００２０】
第３発明にあっては、放電回路は、コンデンサに並列に接続される放電用抵抗を備え、さらに放電用抵抗と直列に接続されたスイッチ回路を備える。スイッチ回路は、入力電圧判定回路で入力電圧がないと判定した場合、放電用抵抗をコンデンサに並列に接続する。これにより、コンデンサに蓄えられた電荷は放電用抵抗を介して放電するので、コンデンサの電圧を安全な値以下に下げることができ、保守作業の安全性を高めることができる。
【００２１】
第４発明にあっては、スイッチ回路は、放電用抵抗と直列に接続された第１のトランジスタと、入力電圧判定回路での判定に応じて、第１のトランジスタの導通および非導通を制御するための第２のトランジスタと、第１のトランジスタにバイアス電圧を印加するための抵抗とツェナーダイオードとの直列回路とを備える。入力電圧があると判定した場合、第２のトランジスタは、第１のトランジスタを非導通にする。これにより、第１のトランジスタは放電用抵抗がコンデンサに並列に接続されないようにする。入力電圧がないと判定した場合、第２のトランジスタは、第１のトランジスタを導通にする。これにより、第１のトランジスタは放電用抵抗をコンデンサに並列に接続する。また、抵抗とツェナーダイオードとの直列回路で第１のトランジスタにバイアス電圧を印加する。例えば、抵抗とツェナーダイオードとの直列回路で分圧した電圧をバイアス電圧として第１のトランジスタのベースに印加する。これにより、第１のトランジスタのバイアス電圧がツェナーダイオードの電圧で定電圧となるので、定電流動作で第１のトランジスタを作動することができ、放電電流が急峻になることを抑制し、電力損失を抑えることができる。
【００２２】
第５発明にあっては、スイッチ回路は、放電用抵抗と直列に接続された第１のトランジスタと、入力電圧判定回路での判定に応じて、第１のトランジスタの導通および非導通を制御するための第２のトランジスタと、第１のトランジスタにバイアス電圧を印加するための直列に接続した複数の抵抗とを備える。入力電圧があると判定した場合、第２のトランジスタは、第１のトランジスタを非導通にする。これにより、第１のトランジスタは放電用抵抗がコンデンサに並列に接続されないようにする。入力電圧がないと判定した場合、第２のトランジスタは、第１のトランジスタを導通にする。これにより、第１のトランジスタは放電用抵抗をコンデンサに並列に接続する。また、複数の抵抗で構成される直列回路で第１のトランジスタにバイアス電圧を印加する。例えば、２つの抵抗の直列回路で分圧した電圧をバイアス電圧として第１のトランジスタのベースに印加する。これにより、第１のトランジスタのバイアス電圧が抵抗に流れる電流に応じた電圧となるので、定抵抗動作で第１のトランジスタを作動することができ、放電電流が急峻になることを抑制し、電力損失を抑えることができる。
【００２３】
第６発明にあっては、入力電圧判定回路は、電圧変換部の出力側に設けられたダイオードと、ダイオードのカソードに接続された抵抗とコンデンサとの並列回路とを備え、当該コンデンサの電圧の有無に応じて入力電圧の有無を判定する。入力電圧が遮断されることにより、電圧変換部で変換された出力電圧が低下し、当該並列回路のコンデンサの電圧も低下するので、確実に入力電圧の有無を判定することができる。
【００２４】
第７発明にあっては、入力電圧判定回路は、電圧変換部の出力側に直列に設けられた抵抗を備え、当該抵抗に流れる電流の有無に応じて入力電圧の有無を判定する。入力電圧が遮断されることにより、電圧変換部で変換された出力電圧が低下し、抵抗に流れる電流（例えば、負荷としての直列ＬＥＤ群に電流）が流れなくなるので、確実に入力電圧の有無を判定することができる。
【００２５】
第８発明にあっては、電源装置と、電源装置により電圧が供給される直列ＬＥＤ群とを備える。これにより、入力電圧が印加されている場合には、無駄な消費電力が発生することを抑制し、入力電圧が遮断された場合には、コンデンサの電荷を放電して下げることにより、保守作業者が誤って触れた場合でも感電することを防止し、保守作業の安全性を高めることができるＬＥＤ装置を提供することができる。
【００２６】
第９発明にあっては、電源装置と、電源装置により電圧が供給される直列に接続された複数のＬＥＤとを備える。これにより、入力電圧が印加されている場合には、無駄な消費電力が発生することを抑制し、入力電圧が遮断された場合には、コンデンサの電荷を放電して下げることにより、保守作業者が誤って触れた場合でも感電することを防止し、保守作業の安全性を高めることができる光源装置（例えば、照明装置又は表示装置など）を提供することができる。
【発明の効果】
【００２７】
第１発明によれば、入力電圧が印加されている場合には、無駄な消費電力が発生することを抑制し、入力電圧が遮断された場合には、コンデンサの電荷を放電して下げることにより、保守作業者が誤って触れた場合でも感電することを防止し、保守作業の安全性を高めることができる。
【００２８】
第２発明によれば、コンデンサの電圧を安全な値以下に下げることができ、保守作業の安全性を高めることができる。
【００２９】
第３発明によれば、コンデンサに蓄えられた電荷は放電用抵抗を介して放電するので、コンデンサの電圧を安全な値以下に下げることができ、保守作業の安全性を高めることができる。
【００３０】
第４発明によれば、第１のトランジスタのバイアス電圧がツェナーダイオードの電圧で定電圧となるので、定電流動作で第１のトランジスタを作動することができ、放電電流が急峻になることを抑制し、電力損失を抑えることができる。
【００３１】
第５発明によれば、第１のトランジスタのバイアス電圧が抵抗に流れる電流に応じた電圧となるので、定抵抗動作で第１のトランジスタを作動することができ、放電電流が急峻になることを抑制し、電力損失を抑えることができる。
【００３２】
第６発明によれば、入力電圧が遮断されることにより、電圧変換部で変換された出力電圧が低下し、当該並列回路のコンデンサの電圧も低下するので、確実に入力電圧の有無を判定することができる。
【００３３】
第７発明によれば、入力電圧が遮断されることにより、電圧変換部で変換された出力電圧が低下し、ＬＥＤに電流が流れなくなるので、確実に入力電圧の有無を判定することができる。
【００３４】
第８発明によれば、保守作業の安全性を高めることができるＬＥＤ装置を提供することができる。
【００３５】
第９発明によれば、保守作業の安全性を高めることができる光源装置（例えば、照明装置又は表示装置など）を提供することができる。
【図面の簡単な説明】
【００３６】
【図１】本実施の形態に係る光源装置の構成の一例を示すブロック図である。
【図２】本実施の形態の電源装置の出力電圧の一例を示すタイムチャートである。
【図３】実施の形態２の光源装置の構成の一例を示すブロック図である。
【図４】実施の形態３の光源装置の構成の一例を示すブロック図である。
【発明を実施するための形態】
【００３７】
実施の形態１
以下、本発明をその実施の形態を示す図面に基づいて説明する。図１は本実施の形態に係る光源装置の構成の一例を示すブロック図である。本実施の形態の光源装置は、電源装置１００及び複数のＬＥＤ（発光ダイオード）１が直列に接続された光源部５０を備えている。光源装置は、例えば、ＬＥＤを照明用の光源とする照明装置、あるいはＬＥＤを表示用の光源とする表示装置などである。なお、図１の例では、複数のＬＥＤ１が直列に接続された１系列だけの光源部５０（負荷）を例示しているが、これに限定されるものではなく、複数のＬＥＤ１で構成される直列回路を複数並列に接続した光源部５０であってもよい。なお、図１では、光源装置を一例として示しているが、光源装置に限定されるものではなく、電源装置１００と直列ＬＥＤ群とを備えるＬＥＤ装置でもよい。なお、ＬＥＤ装置は、直列ＬＥＤ群を備えるものであれば、どのような電気機器であってもよい。
【００３８】
電源装置１００の入力側には商用電源などの交流電圧（例えば、ＡＣ１００、ＡＣ２００Ｖなど）が入力電圧として印加される。なお、入力電圧は、二次電池などの直流電圧（例えば、ＤＣ１００Ｖ）であってもよい。
【００３９】
整流回路１０は、電源装置１００に印加された入力電圧を整流（全波整流又は半波整流）する。平滑コンデンサ１１は、整流回路１０で整流した電圧を平滑する。電圧変換部１２は、入力電圧、すなわち平滑コンデンサ１１で平滑された電圧を直流電圧に変換する。
【００４０】
電圧変換部１２は、例えば、スイッチング用トランス、ＦＥＴ（又はトランジスタ）などのスイッチング素子などを備え、２０ｋＨｚ程度の高周波でＦＥＴをオン／オフすることにより、出力側に高周波の交流電圧を出力する。なお、電圧変換部１２は、ＰＷＭ制御により入力電圧をＰＷＭ制御する構成であってもよく、入力電圧を所要の出力電圧に変換することができる構成であれば、どのような構成も採用することができる。
【００４１】
電圧変換部１２で変換された電圧は、ダイオード１３で整流され、平滑コンデンサ１４で平滑される。平滑コンデンサ１４は、電圧変換部１２の出力側に並列に設けられ、電圧変換部１２で発生する高周波ノイズ、リップルなどを除去する。電源装置１００は、平滑コンデンサ１４で平滑した電圧を出力電圧として出力する。出力電圧は、負荷としての光源部５０において、いくつのＬＥＤ１が直列に接続されているか、すなわちＬＥＤそれぞれの順方向電圧の合計値に応じて適宜決定することができる。出力電圧は、例えば、５０Ｖ、６０Ｖ、…１００Ｖなどである。
【００４２】
電源装置１００は、電圧変換部１２の出力側に設けられ、複数のＬＥＤ１に並列に接続される平滑コンデンサ１４に加えて、平滑コンデンサ１４の電圧が所定値（例えば、複数のＬＥＤ１それぞれの順方向電圧の合計値）より低くなった場合、平滑コンデンサ１４の電荷を放電する放電回路を備える。ここで、所定値は、負荷としての直列接続された複数のＬＥＤ１の数、特性（個々のＬＥＤ１の順方向電圧）などに応じて変動するので、必ずしも特定の定まった値に限定されない。また、使用状態（温度、通電時間）などに応じても変動する。いずれの場合でも、所定値は、平滑コンデンサ１４の電荷が充電されたままの状態にあり、かつ直列接続されたＬＥＤ１に電流が流れなくなった状態における平滑コンデンサ１４の電圧ということができる。放電回路は、平滑コンデンサ１４に並列に接続される放電用抵抗としての抵抗２０である。抵抗２０の一端は出力電圧の正側に接続され、抵抗２０の他端はスイッチ回路４０を接続してある。
【００４３】
スイッチ回路４０は、第１のトランジスタ４１、第２のトランジスタ４２、抵抗４３及びツェナーダイオード４４、抵抗４６などを備える。抵抗２０の他端には第１のトランジスタ４１のコレクタを接続してあり、第１のトランジスタのエミッタは抵抗４６を介して接地レベルに接続してある。第１のトランジスタ４１のベースには、第２のトランジスタのコレクタを接続してあり、第２のトランジスタのエミッタは接地レベルに接続してある。第１のトランジスタ４１のコレクタ・エミッタ間には、抵抗４３とツェナーダイオード４４の直列回路を接続してあり、抵抗４３とツェナーダイオード４４のカソードとの接続箇所には、第１のトランジスタ４１及び第２のトランジスタ４２のコレクタを接続してある。第２のトランジスタ４２のベースには、入力電圧の有無を判定するための入力電圧判定回路３０の出力端を接続してある。
【００４４】
すなわち、スイッチ回路４０は、放電用抵抗としての抵抗２０と直列に接続された第１のトランジスタ４１と、入力電圧判定回路３０での判定に応じて、第１のトランジスタ４１の導通および非導通を制御するための第２のトランジスタ４２と、第１のトランジスタ４１にバイアス電圧を印加するための抵抗４３とツェナーダイオード４４との直列回路とを備える。
【００４５】
電圧変換部１２の出力端とダイオード１３のアノードとの間には、抵抗１５の一端を接続してある。抵抗１５の他端は、入力電圧判定回路３０の入力端に接続してある。抵抗１５は、電圧変換部１２の出力電圧に応じて適宜抵抗値を設定することができる。なお、電圧変換部１２の出力電圧によっては抵抗１５を省略することもできる。
【００４６】
入力電圧判定回路３０は、ダイオード３１、コンデンサ３２、抵抗３３などを備える。すなわち、入力電圧判定回路３０は、電圧変換部１２の出力側に設けられたダイオード３１と、ダイオード３１のカソードに接続された抵抗３３とコンデンサ３２との並列回路とを備え、コンデンサ３２の電圧の有無に応じて入力電圧の有無を判定する。入力電圧が印加された場合には、電圧変換部１２で変換された電圧によってコンデンサ３２が充電され、所定の電圧がコンデンサ３２の両端に発生する。一方、入力電圧が遮断された場合には、電圧変換部１２から変換された電圧が出力されないので、コンデンサ３２の電圧は抵抗３３で放電され、ゼロになる。
【００４７】
すなわち、入力電圧が印加された場合には、入力電圧判定回路３０から所定の電圧が出力され、第２のトランジスタ４２を駆動する。このため、第１のトランジスタ４１のベース電圧がほぼ接地レベルとなり、第１のトランジスタ４１は非導通となり、抵抗２０はスイッチ回路４０で遮断され、抵抗２０には電流が流れないため、放電回路は作動しないことになる。
【００４８】
一方、入力電圧が遮断された場合には、入力電圧判定回路３０から所定の電圧が出力されず、第２のトランジスタ４２は非導通（オフ）となる。このため、第１のトランジスタ４１のベースには、ツェナーダイオード４４のツェナー電圧にほぼ等しい定電圧のバイアス電圧が印加され、第１のトランジスタ４１は定電流動作で作動（導通）し、抵抗２０はスイッチ回路４０で接地レベルに接続され、抵抗２０には電流が流れて放電回路は作動することになる。
【００４９】
図２は本実施の形態の電源装置１００の出力電圧の一例を示すタイムチャートである。図２（ａ）は比較例として従来の場合の出力電圧の変化の様子を示し、図２（ｂ）は本実施の形態の電源装置１００の場合の出力電圧の変化の様子を示す。時刻ｔ１で入力電圧が遮断された場合、図２（ａ）に示すように、従来の場合には、出力電圧、すなわち平滑コンデンサに充電された電圧は、各ＬＥＤの順方向電圧の合計値より下がるとＬＥＤを通じて電流が流れないため、平滑コンデンサの電荷は放電されず長時間高い電圧を維持することになる。これに対して、本実施の形態の場合には、図２（ｂ）に示すように、時刻ｔ１で放電回路が作動するので、平滑コンデンサの電荷は速やかに放電し、出力電圧がゼロ又は十分に低い電圧になる。
【００５０】
上述の構成により、入力電圧が印加され、直列に接続された複数のＬＥＤ１に出力電圧が供給されている場合には、平滑コンデンサ１４の電圧はＬＥＤ１それぞれの順方向電圧の合計値（所定値）より低くなることはなく、放電回路は作動しない。また、入力電圧が遮断され、平滑コンデンサ１４の電圧が複数のＬＥＤ１それぞれの順方向電圧の合計値（所定値）より低くなった場合には、放電回路が作動して平滑コンデンサ１４の電荷を放電する。これにより、入力電圧が印加されている場合には、無駄な消費電力が発生することを抑制し、入力電圧が遮断された場合には、平滑コンデンサ１４の電荷を放電して下げることにより、電源装置１００の出力側の電圧をゼロ又は十分に低い電圧にして、保守作業者が誤って触れた場合でも感電することを防止し、保守作業の安全性を高めることができる。
【００５１】
また、入力電圧の有無を判定する入力電圧判定回路３０を備え、入力電圧判定回路３０で入力電圧がないと判定した場合、放電回路は平滑コンデンサ１４の電荷を放電する。入力電圧が遮断されることにより、電圧変換部１２で変換された出力電圧が低下し、平滑コンデンサ１４の電圧も低下する。平滑コンデンサ１４の電圧が複数のＬＥＤ１それぞれの順方向電圧の合計値より低くなった場合、各ＬＥＤ１には電流が流れなくなるため、平滑コンデンサ１４に蓄えられた電荷が維持される。放電回路（抵抗２０）で平滑コンデンサ１４の電荷を放電することにより、平滑コンデンサ１４の電圧を安全な値以下に下げることができ、保守作業の安全性を高めることができる。
【００５２】
また、放電回路として、平滑コンデンサ１４に並列に接続される抵抗２０を備え、さらに抵抗２０と直列に接続されたスイッチ回路４０を備える。スイッチ回路４０は、入力電圧判定回路３０で入力電圧がないと判定した場合、抵抗２０を平滑コンデンサ１４に並列に接続する。これにより、平滑コンデンサ１４に蓄えられた電荷は抵抗２０を介して放電するので、平滑コンデンサの電圧を安全な値以下に下げることができ、保守作業の安全性を高めることができる。
【００５３】
また、入力電圧判定回路３０で入力電圧がないと判定した場合、第２のトランジスタ４２は、第１のトランジスタ４１を導通にする。これにより、第１のトランジスタ４１は抵抗２０を平滑コンデンサ１４に並列に接続する。この場合、抵抗４３とツェナーダイオード４４との直列回路で分圧した電圧をバイアス電圧として第１のトランジスタ４１のベースに印加する。これにより、第１のトランジスタ４１のバイアス電圧がツェナーダイオード４４のツェナー電圧で定電圧となるので、定電流動作で第１のトランジスタ４１を作動することができ、放電電流が急峻になることを抑制し、電力損失を抑えることができる。
【００５４】
また、入力電圧判定回路３０は、電圧変換部１２の出力側に設けられたダイオード３１と、ダイオード３１のカソードに接続された抵抗３３とコンデンサ３２との並列回路とを備え、コンデンサ３２の電圧の有無に応じて入力電圧の有無を判定する。入力電圧が遮断されることにより、電圧変換部１２で変換された出力電圧が低下し、コンデンサ３２の電圧も低下するので、確実に入力電圧の有無を判定することができる。
【００５５】
また、本実施の形態の光源装置は、電源装置１００と、電源装置１００により電圧が供給される直列に接続された複数のＬＥＤ１とを備える。これにより、入力電圧が印加されている場合には、無駄な消費電力が発生することを抑制し、入力電圧が遮断された場合には、コンデンサの電荷を放電して下げることにより、保守作業者が誤って触れた場合でも感電することを防止し、保守作業の安全性を高めることができる光源装置（例えば、照明装置又は表示装置など）を提供することができる。
【００５６】
実施の形態２
図３は実施の形態２の光源装置の構成の一例を示すブロック図である。実施の形態１との相違点は、スイッチ回路４０のツェナーダイオード４４に代えて抵抗４５を用いた点であり、その他は実施の形態１と同様である。
【００５７】
実施の形態２では、スイッチ回路４０は、抵抗２０と直列に接続された第１のトランジスタ４１と、入力電圧判定回路３０での判定に応じて、第１のトランジスタ４１の導通および非導通を制御するための第２のトランジスタ４２と、第１のトランジスタ４１にバイアス電圧を印加するための直列に接続した複数の抵抗４３、４５と、第１のトランジスタのエミッタに接続された抵抗４６とを備える。入力電圧があると判定した場合、第２のトランジスタ４２は、第１のトランジスタ４１を非導通にする。これにより、第１のトランジスタ４１は抵抗２０が平滑コンデンサ１４に並列に接続されないようにする。入力電圧がないと判定した場合、第２のトランジスタ４２は、第１のトランジスタ４１を導通にする。これにより、第１のトランジスタ４１は抵抗２０を平滑コンデンサ１４に並列に接続する。また、複数の抵抗４３、４５で構成される直列回路で第１のトランジスタ４１にバイアス電圧を印加する。すなわち、２つの抵抗４３、４５の直列回路で分圧した電圧をバイアス電圧として第１のトランジスタ４１のベースに印加する。これにより、第１のトランジスタ４１のバイアス電圧が抵抗４５に流れる電流に応じた電圧となるので、定抵抗動作で第１のトランジスタ４１を作動することができ、放電電流が急峻になることを抑制し、電力損失を抑えることができる。
【００５８】
実施の形態３
図４は実施の形態３の光源装置の構成の一例を示すブロック図である。実施の形態１との相違点は、入力電圧判定回路３０のダイオード３１に代えて、電圧変換部１２の出力側に直列に設けられた抵抗３４を備える点である。すなわち、実施の形態３では、ＬＥＤ１に流れる電流を抵抗３４で電圧として検出し、検出した電圧（すなわち、ＬＥＤ１に流れる電流）の有無に応じて入力電圧の有無を判定する。
【００５９】
実施の形態３では、入力電圧判定回路３０は、ＬＥＤ１に直列に接続される抵抗３４を備え、抵抗３４に流れる電流の有無に応じて入力電圧の有無を判定する。入力電圧が遮断されることにより、電圧変換部１２で変換された出力電圧が低下し、ＬＥＤ１に電流が流れなくなるので、確実に入力電圧の有無を判定することができる。
【００６０】
なお、実施の形態３において、スイッチ回路４０のツェナーダイオード４４を実施の形態２と同様に抵抗４５に代えてもよい。
【００６１】
上述の実施の形態１〜３において、トランジスタ４１、４２は、ＦＥＴに代えてもよい。また、トランジスタ４１のエミッタと接地レベルとの間に放電電流を制限するための抵抗を接続してもよい。また、トランジスタ４１、４２は、いわゆるＮＰＮ型に限らずＰＮＰ型を用いることもできる。
【００６２】
上述の実施の形態１〜３では、トランジスタ４１の導通及び非導通に応じて抵抗２０を平滑コンデンサ１４と並列に接続する構成であったが、これに限定されるものではなく、抵抗２０と直列にリレーの接点を接続する構成でもよい。この場合、リレーは入力電圧により励磁され、入力電圧がある場合には接点は開き、入力電圧がない場合には接点を閉じるように構成すればよい。
【符号の説明】
【００６３】
１  ＬＥＤ
１２  電圧変換部
１３  ダイオード
１４  平滑コンデンサ（コンデンサ）
２０  抵抗（放電用抵抗、放電回路）
３０  入力電圧判定回路
３１  ダイオード
３２  コンデンサ
３３、３４  抵抗
４０  スイッチ回路
４１  第１のトランジスタ
４２  第２のトランジスタ
４３、４５、４６  抵抗
４４  ツェナーダイオード
５０  光源部
【図１】
2011204854.tif 000003
【図２】
2011204854.tif 000004
【図３】
2011204854.tif 000005
【図４】
2011204854.tif 000006